(57)【要約】【課題】  簡易な構造で所望の機能を発揮する構造物基礎構造を提供しようとする。【解決手段】  従来の構造物基礎構造にかわって、基礎の上面に置かれる基礎アンカープレートと、構造物の下面に置かれる構造物アンカープレートと、ボルトと、前記ボルトが貫通できるボルト孔を設けられる上下一対のフランジプレートと上下一対のフランジプレートに挟まれる積層ゴム体とを有する積層ゴム支承と、上下一対のフランジプレートのうちのひとつのフランジプレートである特定フランジプレートの前記特定フランジプレートを取り付ける基礎または構造物のうちの一方に対する垂直方向の相対移動を許容し水平方向の相対移動を拘束する水平拘束手段と、を備えるものとした。【選択図】    図３
2015148084.tif 000002
【特許請求の範囲】
【請求項１】
基礎に据え付けられ構造物を支持する構造物基礎構造であって、
基礎の上面に置かれるアンカープレートである基礎アンカープレートと、
構造物の下面に置かれるアンカープレートである構造物アンカープレートと、
ボルトと、
前記ボルトが貫通できるボルト孔を設けられる上下一対のフランジプレートである上部フランジプレートと下部フランジプレートと上下一対のフランジプレートに挟まれる積層ゴム体とを有する積層ゴム支承と、
上下一対のフランジプレートのうちのひとつのフランジプレートである特定フランジプレートの前記特定フランジプレートを取り付ける基礎または構造物のうちの一方である取付対象物に対する垂直方向の相対移動を許容し水平方向の相対移動を拘束する水平拘束手段と、
を備え、
前記下部フランジプレートが前記基礎アンカープレートを介して基礎に取り付けられ、
前記上部フランジプレートが前記構造物アンカープレートを介して構造物に取り付けられ、  
前記ボルトが前記ボルト孔を貫通し基礎または構造物にねじ固定される、
ことを特徴とする構造物基礎構造。
【請求項２】
前記特定フランジプレートが前記ボルト孔の他に前記取付対象物に向く側に凹みを設けられ、
前記水平拘束手段が前記特定フランジプレートに設けられた前記凹みに嵌まり前記取付対象物に固定される棒状部材であり、
前記凹みの直径は前記棒状部材の直径より僅かに大きい、
ことを特徴とする請求項１に記載の構造物基礎構造。
【請求項３】
前記特定フランジプレートが前記ボルト孔の他に別の貫通穴を設けられ、
前記水平拘束手段が前記特定フランジプレートに設けられた前記貫通穴を貫通し前記取付対象物に固定される棒状部材であり、
前記貫通穴の直径は前記棒状部材の直径より僅かに大きい、
ことを特徴とする請求項１に記載の構造物基礎構造。
【請求項４】
前記ボルトが長手方向に並ぶ大径部と小径部とを形成し、
前記ボルト孔の直径が前記大径部の直径より僅かに大きく、
前記ボルトの前記大径部がボルト孔を貫通し前記取付対象物に固定されて前記水平拘束手段として機能する、
ことを特徴とする請求項１に記載の構造物基礎構造。
【請求項５】
前記水平拘束手段が前記ボルトを挿入可能な貫通穴を中心に持つ円筒状の部材である円筒状部材であって、
前記ボルト孔の直径が前記円筒状部材の外径より僅かに大きく、
前記特定アンカープレートが前記円筒状部材の端部に嵌まり合う嵌め合い部を形成し、
前記円筒状部材が前記ボルト孔を貫通し前記特定アンカープレートの前記嵌め合い部に嵌まり合い、
前記ボルトが前記円筒状部材の前記貫通穴を貫通して前記取付対象物に固定される、
ことを特徴とする請求項１に記載の構造物基礎構造。
【請求項６】
前記取付対象物に埋め込まれる埋込部材と、
を備え、
前記水平拘束手段が前記ボルトを挿入可能な貫通穴を中心に持つ円筒状の部材である円筒状部材であって、
前記ボルト孔の直径が前記円筒状部材の外径より僅かに大きく、
前記埋込部材が前記円筒状部材の端部に嵌まり合う嵌め合い部を形成し、
前記円筒状部材が前記ボルト孔を貫通し前記埋込部材の前記嵌め合い部に嵌まり合い、
前記ボルトが前記円筒状部材の前記貫通穴を貫通して前記取付対象物に固定される、
ことを特徴とする請求項１に記載の構造物基礎構造。
【請求項７】
前記取付対象物に置かれるアンカープレートである特定アンカープレートに連結し前記取付対象物に埋め込まれる埋込部材と、
を備え、
前記埋込部材が前記ボルトを前記取付対象物に固定するための部材の他の別の部材であり、
前記水平拘束手段が前記特定アンカープレートに設けられて前記特定フランジプレートに嵌まり合い前記特定フランジプレートの水平方向の相対移動を拘束する凹凸部である、
ことを特徴とする請求項１に記載の構造物基礎構造。
【請求項８】
最大定格力により弾性域内で押し潰される弾性をもつ座金であって前記ボルトを挿入される貫通穴を設けられる弾性座金と、
を備え、
前記弾性座金を前記積層ゴム支承の前記特定フランジプレートの上に重ね、
前記ボルトが前記弾性座金の前記貫通穴と積層ゴム支承の前記特定フランジプレートに形成されたボルト孔とを貫いて前記取付対象物に固定され、
前記弾性座金はボルトの捻じ込み作用により最大定格力を下回る力である設定定格力で押しつぶされる、
ことを特徴とする請求項１乃至請求項７のうちの一つに記載の構造物基礎構造。
【発明の詳細な説明】
【技術分野】
【０００１】
本発明は、構造物基礎構造に係る。特に、積層ゴム支承を用いた構造物基礎構造に関する。
【背景技術】
【０００２】
建築構造物における免震構造や土木構造物における免震構造及び水平分散構造に積層ゴム体が用いられる。
積層ゴム体は、圧縮方向に大きな耐力を有し、上部構造物の荷重を支持できる。
一方、積層ゴム体は、引張方向の耐力は、圧縮方向の耐力より小さい。
上部構造物の高さが増すにつれ、積層ゴム体に作用する引張方向の力が大きくなる傾向がある。
【０００３】
積層ゴム体に作用する引張方向の力を緩和する手段として、積層ゴム支承のフランジプレートを弾性座金を挟んでボルトで結合することが提案されている。
この様にすると、積層ゴム支承に引張方向の力が作用したときに、弾性座金を圧縮し、積層ゴム体に作用する引張力を緩和する。
【０００４】
ところで、フランジプレートを固定するボルトには、引張力とともに大きな剪断力が作用するという不具合があった。さらに、引張方向の力によって弾性座金が圧縮されてフランジプレートがアンカープレートから浮くと、大きな曲げ力がボルトに作用するという不具合があった。そのために、ボルト径を大きくする必要があり、不経済であった。
【先行技術文献】
【特許文献】
【０００５】
【特許文献１】特開２０１０−２６５９７６号
【特許文献２】特開２０１１−１８４９３６号
【特許文献３】特開平１１−１５３１９１号
【特許文献４】特許第４３３０１７１号
【発明の開示】
【発明が解決しようとする課題】
【０００６】
本発明は以上に述べた不具合に鑑み案出されたもので、簡易な構造で所望の機能を発揮する構造物基礎構造を提供しようとする。
【課題を解決するための手段】
【０００７】
上記目的を達成するため、本発明に係る基礎に据え付けられ構造物を支持する構造物基礎構造を、基礎の上面に置かれるアンカープレートである基礎アンカープレートと、構造物の下面に置かれるアンカープレートである構造物アンカープレートと、ボルトと、前記ボルトが貫通できるボルト孔を設けられる上下一対のフランジプレートである上部フランジプレートと下部フランジプレートと上下一対のフランジプレートに挟まれる積層ゴム体とを有する積層ゴム支承と、上下一対のフランジプレートのうちのひとつのフランジプレートである特定フランジプレートの前記特定フランジプレートを取り付ける基礎または構造物のうちの一方である取付対象物に対する垂直方向の相対移動を許容し水平方向の相対移動を拘束する水平拘束手段と、を備え、前記下部フランジプレートが前記基礎アンカープレートを介して基礎に取り付けられ、前記上部フランジプレートが前記構造物アンカープレートを介して構造物に取り付けられ、  前記ボルトが前記ボルト孔を貫通し基礎または構造物にねじ固定される、ものとした。
【０００８】
上記本発明の構成において、基礎アンカープレートは、基礎の上面に置かれるアンカープレートである。構造物アンカープレートは、構造物の下面に置かれるアンカープレートである。積層ゴム支承は、前記ボルトが貫通できるボルト孔を設けられる上下一対のフランジプレートである上部フランジプレートと下部フランジプレートと上下一対のフランジプレートに挟まれる積層ゴム体とを有する。水平拘束手段は、上下一対のフランジプレートのうちのひとつのフランジプレートである特定フランジプレートの前記特定フランジプレートを取り付ける基礎または構造物のうちの一方である取付対象物に対する垂直方向の相対移動を許容し水平方向の相対移動を拘束する。前記下部フランジプレートが前記基礎アンカープレートを介して基礎に取り付けられ、前記上部フランジプレートが前記構造物アンカープレートを介して構造物に取り付けられ、  前記ボルトが前記ボルト孔を貫通し基礎または構造物にねじ固定される。
その結果、前記フランジプレートに作用する水平方向の力を基礎または構造物が直接に支持し、基礎または構造物に固定されるボルトに水平方向の力が作用するのを抑制できる。
【０００９】
以下に、本発明の実施形態に係る構造物基礎構造を説明する。本発明は、以下に記載した実施形態のいずれか、またはそれらの中の二つ以上が組み合わされた態様を含む。
【００１０】
また、本発明の実施形態に係る構造物基礎構造は、前記特定フランジプレートが前記ボルト孔の他に前記取付対象物に向く側に凹みを設けられ、前記水平拘束手段が前記特定フランジプレートに設けられた前記凹みに嵌まり前記取付対象物に固定される棒状部材であり、前記凹みの直径は前記棒状部材の直径より僅かに大きい。
上記本発明に係る実施形態の構成により、前記特定フランジプレートが前記ボルト孔の他に前記取付対象物に向く側に凹みを設けられる。前記棒状部材が前記特定フランジプレートに設けられた前記凹みに嵌まり前記取付対象物に固定される前記水平拘束手段として機能する。前記凹みの直径は前記棒状部材の直径より僅かに大きい。
その結果、前記特定フランジプレートに作用する水平方向の力を棒状部材で受けて取付対象物が直接に支持し、取付対象物に固定されるボルトに水平方向の力が作用するのを抑制できる。
【００１１】
また、本発明の実施形態に係る構造物基礎構造は、前記特定フランジプレートが前記ボルト孔の他に別の貫通穴を設けられ、前記水平拘束手段が前記特定フランジプレートに設けられた前記貫通穴を貫通し前記取付対象物に固定される棒状部材であり、前記貫通穴の直径は前記棒状部材の直径より僅かに大きい。
上記本発明に係る実施形態の構成により、前記特定フランジプレートが前記ボルト孔の他に別の貫通穴を設けられる。棒状部材は、前記特定フランジプレートに設けられた前記貫通穴を貫通し前記取付対象物に固定され、前記水平拘束手段として機能する。前記貫通穴の直径は前記棒状部材の直径より僅かに大きい。
その結果、前記特定フランジプレートに作用する水平方向の力を棒状部材で受けて取付対象物が直接に支持し、取付対象物に固定されるボルトに水平方向の力が作用するのを抑制できる。
【００１２】
また、本発明の実施形態に係る構造物基礎構造は、前記ボルトが長手方向に並ぶ大径部と小径部とを形成し、前記ボルト孔の直径が前記大径部の直径より僅かに大きく、前記ボルトの前記大径部がボルト孔を貫通し前記取付対象物に固定されて前記水平拘束手段として機能する。
上記本発明に係る実施形態の構成により、前記ボルトが長手方向に並ぶ大径部と小径部とを形成する。前記ボルト孔の直径が前記大径部の直径より僅かに大きい。前記ボルトの前記大径部がボルト孔を貫通し前記取付対象物に固定されて前記水平拘束手段として機能する。
その結果、特定フランジプレートに作用する水平方向の力をボルトの大径部で受けて取付対象物が直接に支持し、取付対象物に固定されるボルトの小径部に水平方向の力が作用するのを抑制できる。
【００１３】
また、本発明の実施形態に係る構造物基礎構造は、前記水平拘束手段が前記ボルトを挿入可能な貫通穴を中心に持つ円筒状の部材である円筒状部材であって、前記ボルト孔の直径が前記円筒状部材の外径より僅かに大きく、前記特定アンカープレートが前記円筒状部材の端部に嵌まり合う嵌め合い部を形成し、前記円筒状部材が前記ボルト孔を貫通し前記特定アンカープレートの前記嵌め合い部に嵌まり合い、前記ボルトが前記円筒状部材の前記貫通穴を貫通して前記取付対象物に固定される。
上記本発明に係る実施形態の構成により、円筒状部材が、前記ボルトを挿入可能な貫通穴を中心に持つ円筒状の部材であり、前記水平拘束手段として機能する。前記ボルト孔の直径が前記円筒状部材の外径より僅かに大きい。前記特定アンカープレートが前記円筒状部材の端部に嵌まり合う嵌め合い部を形成する。前記円筒状部材が前記ボルト孔を貫通し前記特定アンカープレートの前記嵌め合い部に嵌まり合う。前記ボルトが前記円筒状部材の前記貫通穴を貫通して前記取付対象物に固定される。
その結果、特定フランジプレートに作用する水平方向の力を円筒状部材で受けてアンカープレートが直接に支持し、取付対象物に固定されるボルトに作用する水平方向の力を小さくできる。
【００１４】
また、本発明の実施形態に係る構造物基礎構造は、前記取付対象物に埋め込まれる埋込部材と、を備え、前記水平拘束手段が前記ボルトを挿入可能な貫通穴を中心に持つ円筒状の部材である円筒状部材であって、前記ボルト孔の直径が前記円筒状部材の外径より僅かに大きく、前記取付対象物に埋め込まれる埋込部材が前記円筒状部材の端部に嵌まり合う嵌め合い部を形成し、前記円筒状部材が前記ボルト孔を貫通し前記埋込部材の前記嵌め合い部に嵌まり合い、前記ボルトが前記円筒状部材の前記貫通穴を貫通して前記取付対象物に固定される。
上記本発明に係る実施形態の構成により、埋込部材が、前記取付対象物に埋め込まれる。円筒状部材が、前記ボルトを挿入可能な貫通穴を中心に持つ円筒状の部材であり、前記水平拘束手段として機能する。前記ボルト孔の直径が前記円筒状部材の外径より僅かに大きい。前記埋込部材が前記円筒状部材の端部に嵌まり合う嵌め合い部を形成する。前記円筒状部材が前記ボルト孔を貫通し前記埋込部材の前記嵌め合い部に嵌まり合い前記ボルトが前記円筒状部材の前記貫通穴を貫通して前記取付対象物に固定される。
その結果、特定フランジプレートに作用する水平方向の力を円筒状部材で受けて取付対象物が直接に支持し、取付対象物に固定されるボルトに作用する水平方向の力を小さくできる。
【００１５】
また、本発明の実施形態に係る構造物基礎構造は、前記取付対象物に置かれるアンカープレートである特定アンカープレートに連結し前記取付対象物に埋め込まれる埋込部材と、を備え、前記埋込部材が前記ボルトを前記取付対象物に固定するための部材の他の別の部材であり、前記水平拘束手段が前記特定アンカープレートに設けられて前記特定フランジプレートに嵌まり合い前記特定フランジプレートの水平方向の相対移動を拘束する凹凸部である。
上記本発明に係る実施形態の構成により、埋込部材は、前記取付対象物に置かれるアンカープレートである特定アンカープレートに連結し前記取付対象物に埋め込まれる。前記埋込部材が前記ボルトを前記取付対象物に固定するための部材の他の別の部材である。前記水平拘束手段が前記特定アンカープレートに設けられて前記特定フランジプレートに嵌まり合い前記特定フランジプレートの水平方向の相対移動を拘束する凹凸部である。
その結果、前記特定フランジプレートに作用する水平方向の力を凹凸部で受けてアンカープレートが直接に支持し、取付対象物に固定されるボルトに水平方向の力が作用するのを抑制できる。
【００１６】
また、本発明の実施形態に係る構造物基礎構造は、最大定格力により弾性域内で押し潰される弾性をもつ座金であって前記ボルトを挿入される貫通穴を設けられる弾性座金と、を備え、前記弾性座金を前記積層ゴム支承の前記特定フランジプレートの上に重ね、前記ボルトが前記弾性座金の前記貫通穴と前記積層ゴム支承の前記特定フランジプレートに形成されたボルト孔とを貫いて前記取付対象物にねじ固定され、前記弾性座金はボルトの捻じ込み作用により最大定格力を下回る力である設定定格力で押しつぶされる。
上記本発明に係る実施形態の構成により、弾性座金は、最大定格力により弾性域内で押し潰される弾性をもつ座金であって前記ボルトを挿入される貫通穴を設けられる。前記弾性座金を前記積層ゴム支承の前記特定フランジプレートの上に重ねる。前記ボルトが前記弾性座金の前記貫通穴と前記積層ゴム支承の前記フランジプレートに形成されたボルト孔とを貫いて前記取付対象物に固定される。前記弾性座金はボルトの捻じ込み作用により最大定格力を下回る力である設定定格力で押しつぶされる。
その結果、フランジプレートがアンカープレートから浮いたときに弾性座金が押しつぶされて、フランジプレートの浮き上がり変位を、積層ゴム体に過大な引張力が作用しない範囲で抑制できる。
【発明の効果】
【００１７】
以上説明したように、本発明に係る構造物基礎構造は、その構成により、以下の効果を有する。
積層ゴム支承のフランジプレートとアンカープレートとの垂直方向の相対移動を許容し水平方向の相対移動を拘束し、前記ボルトが前記フランジプレートのボルト孔を貫通しアンカープレートに固定される様にしたので、前記フランジプレートに作用する水平方向の力を基礎または構造物が直接に支持し、基礎または構造物に固定されるボルトに水平方向の力が作用するのを抑制できる。
また、棒状部材がフランジプレートに設けられるボルト孔と別の異なる穴に嵌まり前記取付対象物に固定される様にしたので、前記特定フランジプレートに作用する水平方向の力を棒状部材で受けて取付対象物が直接に支持し、取付対象物に固定されるボルトに水平方向の力が作用するのを抑制できる。
また、棒状部材がフランジプレートに設けられるボルト孔と別の異なる貫通穴を貫通し前記取付対象物に固定される様にしたので、前記特定フランジプレートに作用する水平方向の力を棒状部材で受けて取付対象物が直接に支持し、取付対象物に固定されるボルトに水平方向の力が作用するのを抑制できる。
また、前記ボルトの大径部が直径の僅かに大きなボルト孔を貫通し取付対象物に固定される様にしたので、特定フランジプレートに作用する水平方向の力をボルトの大径部で受けて取付対象物が直接に支持し、取付対象物に固定されるボルトの小径部に水平方向の力が作用するのを抑制できる。
また、ボルトが前記円筒状部材の貫通穴とボルト孔を貫通し取付対象物に固定され、前記円筒状部材がボルト孔を貫通し端部をアンカープレートの嵌め合い部に嵌まり合う様にしたので、特定フランジプレートに作用する水平方向の力を円筒状部材で受けてアンカープレートが直接に支持し、取付対象物に固定されるボルトに作用する水平方向の力を小さくできる。
また、ボルトが前記円筒状部材の貫通穴とボルト孔を貫通し取付対象物に固定され、前記円筒状部材がボルト孔を貫通し端部を取付対象物に埋め込まれた埋込部材の嵌め合い部に嵌まり合う様にしたので、特定フランジプレートに作用する水平方向の力を円筒状部材で受けて取付対象物が直接に支持し、取付対象物に固定されるボルトに作用する水平方向の力を小さくできる。
また、特定アンカープレートに設けられた凹凸部が特定フランジプレートに嵌まり合いフランジプレートの水平方向の相対移動を拘束する様にしたので、前記特定フランジプレートに作用する水平方向の力を凹凸部で受けてアンカープレートが直接に支持し、取付対象物に固定されるボルトに水平方向の力が作用するのを抑制できる。
また、前記ボルトが弾性座金の貫通穴と特定フランジプレートのボルト孔を貫いて前記取付対象物に固定され、弾性座金はボルトの捻じ込み作用により最大定格力を下回る力である設定定格力で押しつぶされる様にしたので、特定フランジプレートが特定アンカープレートから浮いたときに弾性座金が押しつぶされて、フランジプレートの浮き上がり変位を、積層ゴム体に過大な引張力が作用しない範囲で抑制できる。
その結果、簡易な構造で所望の機能を発揮する構造物基礎構造を提供できる。
【図面の簡単な説明】
【００１８】
【図１】本発明の実施形態に係る構造物基礎構造をもつ建物の概念図である。
【図２】本発明の実施形態に係る構造物基礎構造の概念図である。
【図３】本発明の第一の実施形態に係る構造物基礎構造の部分拡大図である。
【図４】本発明の第二の実施形態に係る構造物基礎構造の部分拡大図である。
【図５】本発明の第三の実施形態に係る構造物基礎構造の部分拡大図である。
【図６】本発明の第四の実施形態に係る構造物基礎構造の部分拡大図である。
【図７】本発明の第五の実施形態に係る構造物基礎構造の部分拡大図である。
【図８】本発明の第六の実施形態に係る構造物基礎構造の部分拡大図である。
【発明を実施するための形態】
【００１９】
以下、本発明を実施するための最良の形態を、図面を参照して説明する。
【００２０】
最初に、本発明の実施形態に係る弾性座金とそれを用いた構造物基礎構造を、図を基に、説明する
図１は、本発明の実施形態に係る構造物基礎構造をもつ建物の概念図である。  図２は  本発明の実施形態に係る構造物基礎構造の概念図である。
図２は、後述する本発明の第一の実施形態に係る構造物基礎構造を採用している。
【００２１】
構造物基礎構造は、基礎に据え付けられ構造物を支持する構造である。
例えば、構造物基礎構造は、建物の基礎構造である。
例えば、複数の構造物基礎構造が、建物の底部と基礎との間に設けられる。
図１は、複数の構造物基礎構造が構造物の底部と基礎との間に設けられる様子を示す。
構造物基礎構造は、基礎アンカープレート１００ｂと構造物アンカープレート１００ａとボルト２００ａ、２００ｂと積層ゴム支承５００と水平拘束手段６００とで構成される。
構造物基礎構造は、基礎アンカープレート１００ｂと構造物アンカープレート１００ａとボルト２００ａ、２００ｂと埋込部材４００と積層ゴム支承５００と水平拘束手段６００とで構成されてもよい。
構造物基礎構造は、基礎アンカープレート１００ｂと構造物アンカープレート１００ａとボルト２００ａ、２００ｂと弾性部材３００と埋込部材４００と積層ゴム支承５００と水平拘束手段６００とで構成されてもよい。
構造物基礎構造は、基礎アンカープレート１００ｂと構造物アンカープレート１００ａとボルト２００ａ、２００ｂと弾性部材３００と埋込部材４００と積層ゴム支承５００と水平拘束手段６００と埋込部材７００とで構成されてもよい。
構造物基礎構造は、構造物アンカープレート１００ａと基礎アンカープレート１００ｂとボルト２００ａ、２００ｂと弾性部材３００と埋込部材４００と積層ゴム支承５００と水平拘束手段６００と埋込部材７００とフィラープレート８００とで構成されてもよい。
【００２２】
構造物アンカープレート１００ａは、構造物５０ａの下面に置かれるアンカープレートである。
基礎アンカープレート１００ｂは、基礎５０ｂの上面に置かれるアンカープレートである。
ボルト２００は、積層ゴム支承５００を基礎５０ｂまたは構造物５０ａに固定する機械要素である。
例えば、ボルト２００は、六角ボルトである。
例えば、ボルト２００は、雄ねじの形成された棒状部材と雄ねじにねじ込まれるナットである。
弾性部材３００は、ボルト２００に用いられる座金であって、弾性素材でできている。
埋込部材４００は、基礎５０ｂまたは構造物５０ａに埋め込まれる部材である。
例えば、埋込部材４００は、スタッドジベルである。
例えば、埋込部材４００は、雌ねじを設けられた部材である。
埋込部材４００は、アンカープレート１００に連結されてもよい。
積層ゴム支承５００は、上下一対のフランジプレート５１０と積層ゴム体５２０とで構成される。
上下一対のフランジプレート５１０は、ボルト２００が貫通できるボルト孔を設けられ、上部プランジプレート５１０ａと下部フランジプレート５１０ｂとで構成される。
水平拘束手段６００は、上下一対のフランジプレートのうちのひとつのフランジプレートである特定フランジプレートの特定フランジプレートを取り付ける基礎５０ｂまたは構造物５０ａのうちの一方である取付対象物に対する垂直方向の相対移動を許容し水平方向の相対移動を拘束する手段である。
埋込部材７００は、ボルト２００ｂを基礎５０ｂまたは構造物５０ａに固定できる部材であって、基礎５０ｂまたは構造物５０ａに埋め込まれるものである。
埋込部材７００は、アンカープレート１００に連結されてもよい。
フィラープレート８００は、基礎５０ｂの上面と構造物５０ａの下面との距離を調整するためのプレートである。
【００２３】
以下に、本発明の複数の実施形態にかかる構造物基礎構造を、各々に詳述する。
【００２４】
最初に、本発明の第一の実施形態にかかる構造物基礎構造を、図を基に、説明する。
図３は、本発明の第一の実施形態に係る構造物基礎構造の部分拡大図である。
【００２５】
第一の実施形態にかかる構造物基礎構造は、構造物アンカープレート１００ａと基礎アンカープレート１００ｂとボルト２００ａ、２００ｂと埋込部材４００と積層ゴム支承５００と水平拘束手段６００と埋込部材７００とで構成されてもよい。
第一の実施形態にかかる構造物基礎構造は、構造物アンカープレート１００ａと基礎アンカープレート１００ｂとボルト２００ａ、２００ｂと埋込部材４００と積層ゴム支承５００と水平拘束手段６００と埋込部材７００とフィラープレート８００とで構成されてもよい。
第一の実施形態にかかる構造物基礎構造は、構造物アンカープレート１００ａと基礎アンカープレート１００ｂとボルト２００ａ、２００ｂと弾性座金３００と埋込部材４００と積層ゴム支承５００と水平拘束手段６００と埋込部材７００とフィラープレート８００とで構成されてもよいい。
以下では、説明の便宜上、基礎アンカープレートが特定アンカープレートであって、下部フランジプレートが特定フランジプレートであって、基礎が取付対象物である場合を例に説明する。
【００２６】
構造物アンカープレート１００ａは、構造物５０ａの下面に置かれるアンカープレートである。
アンカープレートは、フランジプレート５１０と略同寸法の輪郭をもつ板状部材である。
構造物アンカープレート１００ａは、ボルト２００ａの貫通するボルト孔が設けられる。
特に言及しないかぎり、ボルト孔の直径はボルト２００の直径に比べ所定の隙間を保持できるように大きい。
【００２７】
基礎アンカープレート１００ｂは、基礎５０ｂの上面に置かれるアンカープレートである。
アンカープレートは、フランジプレート５１０と略同寸法の輪郭をもつ板状部材である。
基礎アンカープレート１００ｂは、ボルト２００ｂの貫通するボルト孔と後述する棒状部材６２０の貫通する貫通穴とが設けられる。
【００２８】
ボルト２００ａは、積層ゴム支承５００を構造物５０ａに固定する機械要素である。
ボルト２００ａは、上部フランジプレート５１０ａに設けられるボルト孔を貫通し、構造物５０ａに固定される。
ボルト２００ａは、上部フランジプレート５１０ａに設けられるボルト孔を貫通し、構造物５０ａに埋め込まれる埋込部材７００にねじ固定される。
【００２９】
ボルト２００ｂは、積層ゴム支承５００を基礎５０ｂに固定する機械要素である。
ボルト２００ｂは、下部フランジプレート５１０ｂに設けられるボルト孔を貫通し、基礎５０ｂに固定される。
ボルト２００ｂは、下部フランジプレート５１０ｂに設けられるボルト孔を貫通し、基礎５０ｂに埋め込まれる埋込部材７００にねじ固定される。
【００３０】
弾性座金３００は、ボルト２００に用いられる座金である。
弾性座金３００は、最大定格力により弾性域内で押し潰される弾性をもつ座金であってボルトを挿入される貫通穴を設けられる。
弾性座金３００を積層ゴム支承５００の特定フランジプレート５１０ｂの上に重ねる。
ボルト２００が、弾性座金３００の貫通穴と積層ゴム支承５００の下部フランジプレート５１０ｂに形成されたボルト孔とを貫いて基礎５０ｂに固定され、弾性座金３００はボルト２００の捻じ込み作用により最大定格力を下回る力である設定定格力で押しつぶされる。
ボルト２００が、弾性座金３００の貫通穴と積層ゴム支承５００の下部フランジプレート５１０ｂに形成されたボルト孔とを貫いて基礎５０ｂに埋め込まれる埋込部材７１０にねじ固定され、弾性座金３００はボルト２００の捻じ込み作用により最大定格力を下回る力である設定定格力で押しつぶされる。
【００３１】
埋込部材４２０が、取付対象物に埋め込まれる。
埋込部材４２０が、基礎５０ｂに埋め込まれる。
埋込部材４２０は、取付対象物に置かれるアンカープレート１００である特定アンカープレート１００ｂに連結しなくてもよい。
埋込部材４２０は、取付対象物に置かれるアンカープレート１００である特定アンカープレート１００ｂに連結してもよい。
埋込部材４２０は、端部を取付対象物に置かれるアンカープレート１００である特定アンカープレート１００ｂに設けられる穴に嵌まってもよい。
例えば、埋込部材４２０は、円管４２１と六角ボルト４２２とで構成される。
円管４２１が、内壁に雌ねじを設けられた円管状部材である。
六角ボルト４２２は、雄ねじを円環４２１の雌ねじにねじ固定される。
【００３２】
積層ゴム支承５００は、上下一対のフランジプレート５１０ａ、５１０ｂと積層ゴム体５２０とで構成される。
上下一対のフランジプレート５１０ａ、５１０ｂは、上部フランジプレート５１０ａと下部フランジプレート５１０ｂとで構成される。
上下一対のフランジプレート５１０ａ、５１０ｂは、ボルト２００ａ、２００ｂが貫通できるボルト孔を設けられる。
さらに、特定フランジプレート５１０ｂは、ボルト孔の他に取付対象物に向く側に凹みを設けられる。
凹みは、特定フランジプレート５１０ｂを貫通しなくてもよい。
凹みは、特定フランジプレート５１０ｂを貫通してもよい。
凹みは、所定の直径を持つ円筒状の穴であってもよい。
凹みの直径は、後述する棒状部材６２０の直径より僅かに大きい。
積層ゴム体５２０は、上下一対のフランジプレートに挟まれる。
積層ゴム体５２０は、積層した複数のゴム体で構成される。
【００３３】
水平拘束手段６００は、特定フランジプレートの取付対象物に対する垂直方向の相対移動を許容し水平方向の相対移動を拘束する手段である。
水平拘束手段６００は、特定フランジプレートに設けられた凹みに嵌まり取付対象物にねじ固定される棒状部材６２０であってもよい。
水平拘束手段６００は、特定フランジプレートに設けられた貫通した凹みを貫通し取付対象物に固定される棒状部材６２０であってもよい。
棒状部材６２０は、一方の側に雄ねじを切られたボルトであってもよい。
棒状部材６２０は、外周に雄ねじを形成された長尺部材であってもよい。
棒状部材６２０は、特定フランジプレートである下部フランジプレート５１０ｂの取付対象物に向く側に設けられた凹みに嵌まり、特定アンカープレートである基礎アンカープレート１００ｂに設けられた貫通穴を貫通して、取付対象物である基礎５０ｂに埋め込まれた埋込部材４２０に固定される。
棒状部材６２０は、下部フランジプレート５１０ｂの取付対象物に向く側に設けられた凹みに嵌まり、基礎アンカープレートに設けられた貫通穴を貫通して、基礎５０ｂに埋め込まれた埋込部材４２０にねじ固定されてもよい。
【００３４】
埋込部材７００は、構造物５０ａと基礎５０ｂに埋め込まれる部材である。
例えば、埋込部材７１０は、内面に雌ねじが形成された円管７１１と円管の雌ねじにねじ込まれる六角ボルト７１２である。
埋込部材７１０は、アンカープレート１００ａ、１００ｂに固定されていなくてもよい。
埋込部材７１０は、アンカープレート１００ａ、１００ｂに固定されていてもよい。
埋込部材７１０は、端部をアンカープレート１００ａ、１００ｂに設けられた穴に嵌められてもよい。
【００３５】
フィラープレート８００は、フランジプレートとアンカープレートとの間に挟まれる板状部材である。
フィラープレート８００は、特定フランジプレートと異なるフランジプレートと特定アンカープレートでないアンカープレートとの間に挟まれる板状部材であってもよい。
フィラープレート８００は、上部フランジプレート５１０ａと構造物アンカープレートとの間に挟まれる板状部材であってもよい。
【００３６】
以下に、本発明の第一の実施形態に係る構造物基礎構造の作用を、説明する。
地震がないとき、下部フランジプレート５１０ｂが基礎アンカープレート１００ｂに接している。
地震が発生し、構造物基礎構造に引き抜き力が作用すると、下部フランジプレート５１０ｂが基礎アンカープレート１００ｂから離れる。
弾性座金が圧縮され、ボルト２００ｂに引張力が作用する。
基礎５０ｂに固定された棒状部材６２０が、下部フランジプレート５１０ｂの水平移動を拘束する。
その結果、ボルト２００ｂに作用する水平方向の力を抑制できる。
【００３７】
次に、本発明の第二の実施形態にかかる構造物基礎構造を、図を基に、説明する。
図４は、本発明の第二の実施形態に係る構造物基礎構造の部分拡大図である。
【００３８】
第二の実施形態にかかる構造物基礎構造は、構造物アンカープレート１００ａと基礎アンカープレート１００ｂとボルト２００ａ、２００ｂと埋込部材４００と積層ゴム支承５００と水平拘束手段６００と埋込部材７００とで構成されてもよい。
第二の実施形態にかかる構造物基礎構造は、構造物アンカープレート１００ａと基礎アンカープレート１００ｂとボルト２００ａ、２００ｂと埋込部材４００と積層ゴム支承５００と水平拘束手段６００と埋込部材７００とフィラープレート８００とで構成されてもよい。
第二の実施形態にかかる構造物基礎構造は、構造物アンカープレート１００ａと基礎アンカープレート１００ｂとボルト２００ａ、２００ｂと弾性座金３００と埋込部材４００と積層ゴム支承５００と水平拘束手段６００と埋込部材７００とフィラープレート８００とで構成されてもよい。
以下では、説明の便宜上、基礎アンカープレートが特定アンカープレートであって、下部フランジプレートが特定フランジプレートであって、基礎が取付対象物である場合を例に説明する。
【００３９】
構造物アンカープレート１００ａは、構造物５０ａの下面に置かれるアンカープレートである。
アンカープレートは、フランジプレート５１０と略同寸法の輪郭をもつ板状部材である。
構造物アンカープレート１００ａは、ボルト２００ａの貫通するボルト孔が設けられる。
特に言及しないかぎり、ボルト孔の直径はボルト２００の直径に比べ所定の隙間を保持できるように大きい。
【００４０】
基礎アンカープレート１００ｂは、基礎５０ｂの上面に置かれるアンカープレートである。
アンカープレートは、フランジプレート５１０と略同寸法の輪郭をもつ板状部材である。
基礎アンカープレート１００ｂは、ボルト２００ｂの貫通するボルト孔と後述する棒状部材６２０の貫通する貫通穴とが設けられる。
【００４１】
ボルト２００ａは、積層ゴム支承５００を構造物５０ａに固定する機械要素である。
ボルト２００ａは、上部フランジプレート５１０ａに設けられるボルト孔を貫通し、構造物５０ａに固定される。
ボルト２００ａは、上部フランジプレート５１０ａに設けられるボルト孔を貫通し、構造物５０ａに埋め込まれる埋込部材７００にねじ固定される。
【００４２】
ボルト２００ｂは、積層ゴム支承５００を基礎５０ｂに固定する機械要素である。
ボルト２００ｂは、下部フランジプレート５１０ｂに設けられるボルト孔を貫通し、基礎５０ｂに固定される。
ボルト２００ｂは、下部フランジプレート５１０ｂに設けられるボルト孔を貫通し、基礎５０ｂに埋め込まれる埋込部材７００にねじ固定される。
【００４３】
弾性座金３００の構成は、第一の実施形態にかかる構造物基礎構造のものと同じなので、説明を省略する。
【００４４】
埋込部材４２０が、取付対象物に埋め込まれる。
埋込部材４２０が、基礎５０ｂに埋め込まれる。
埋込部材４２０は、取付対象物に置かれるアンカープレート１００である特定アンカープレート１００ｂに連結しなくてもよい。
埋込部材４２０は、取付対象物に置かれるアンカープレート１００である特定アンカープレート１００ｂに連結してもよい。
例えば、埋込部材４２０は、円管４２１と六角ボルト４２２とで構成される。
円管４２１が、内壁に雌ねじを設けられた円管状部材である。
六角ボルト４２２は、雄ねじを円環４２１の雌ねじにねじ固定される。
【００４５】
積層ゴム支承５００は、上下一対のフランジプレート５１０ａ、５１０ｂと積層ゴム体５２０とで構成される。
上下一対のフランジプレート５１０ａ、５１０ｂは、上部フランジプレート５１０ａと下部フランジプレート５１０ｂとで構成される。
上下一対のフランジプレート５１０ａ、５１０ｂは、ボルト２００ａ、２００ｂが貫通できるボルト孔を設けられる。
さらに、特定フランジプレート５１０ｂは、ボルト孔の他に他の貫通穴を設けられる。
貫通穴の直径は、後述する棒状部材６２０の直径より僅かに大きい。
積層ゴム体５２０は、上下一対のフランジプレートに挟まれる。
積層ゴム体５２０は、積層した複数のゴム体で構成される。
【００４６】
水平拘束手段６００は、特定フランジプレートの取付対象物に対する垂直方向の相対移動を許容し水平方向の相対移動を拘束する手段である。
水平拘束手段６００は、特定フランジプレートに設けられた貫通穴を貫通し取付対象物に固定される棒状部材６２０である。
水平拘束手段６００は、特定フランジプレートに設けられた貫通穴を貫通し取付対象物にねじ固定される棒状部材６２０であってもよい。
棒状部材６２０は、六角ボルトであってもよい。
棒状部材６２０は、外周に雄ねじを形成された長尺部材であってもよい。
棒状部材６２０は、特定フランジプレートである下部フランジプレート５１０ｂに設けられた貫通穴と特定アンカープレートである基礎アンカープレート１００ｂに設けられた貫通穴を貫通して、取付対象物である基礎５０ｂに埋め込まれた埋込部材４２０に固定される。
棒状部材６２０は、下部フランジプレート５１０ｂに設けられた貫通穴と基礎アンカープレートに設けられた貫通穴を貫通して、基礎５０ｂに埋め込まれた埋込部材４２０にねじ固定されてもよい。
【００４７】
埋込部材７００は、構造物５０ａと基礎５０ｂに埋め込まれる部材である。
例えば、埋込部材７１０は、内面に雌ねじが形成された円管７１１と円管の雌ねじにねじ込まれる六角ボルト７１２である。
埋込部材７１０は、アンカープレート１００ａ、１００ｂに固定されていなくてもよい。
埋込部材７１０は、アンカープレート１００ａ、１００ｂに固定されていてもよい。
埋込部材７１０は、端部をアンカープレート１００ａ、１００ｂに設けられた穴に嵌められてもよい。
【００４８】
フィラープレート８００の構成は、第一の実施形態にかかる構造物基礎構造のものと同じなので、説明を省略する。
【００４９】
以下に、本発明の第二の実施形態に係る構造物基礎構造の作用を、説明する。
地震がないとき、下部フランジプレート５１０ｂが基礎アンカープレート１００ｂに接している。
地震が発生し、構造物基礎構造に引き抜き力が作用すると、下部フランジプレート５１０ｂが基礎アンカープレート１００ｂから離れる。
弾性座金が圧縮され、ボルト２００ｂに引張力が作用する。
基礎５０ｂに固定された棒状部材６２０が、下部フランジプレート５１０ｂの水平移動を拘束する。
その結果、ボルト２００ｂに作用する水平方向の力を抑制できる。
【００５０】
次に、本発明の第三の実施形態にかかる構造物基礎構造を、図を基に、説明する。
図５は、本発明の第三の実施形態に係る構造物基礎構造の部分拡大図である。
【００５１】
第三の実施形態にかかる構造物基礎構造は、構造物アンカープレート１００ａと基礎アンカープレート１００ｂとボルト２００ａ、２００ｂと積層ゴム支承５００と水平拘束手段６００と埋込部材７００とで構成されてもよい。
第三の実施形態にかかる構造物基礎構造は、構造物アンカープレート１００ａと基礎アンカープレート１００ｂとボルト２００ａ、２００ｂと積層ゴム支承５００と水平拘束手段６００と埋込部材７００とフィラープレート８００とで構成されてもよい。
第三の実施形態にかかる構造物基礎構造は、構造物アンカープレート１００ａと基礎アンカープレート１００ｂとボルト２００ａ、２００ｂと弾性座金３００と積層ゴム支承５００と水平拘束手段６００と埋込部材７００とフィラープレート８００とで構成されてもよい。
以下では、説明の便宜上、基礎アンカープレートが特定アンカープレートであって、下部フランジプレートが特定フランジプレートであって、基礎５０ｂが取付対象物である場合を例に説明する。
【００５２】
構造物アンカープレート１００ａは、構造物５０ａの下面に置かれるアンカープレートである。
アンカープレートは、フランジプレート５１０と略同寸法の輪郭をもつ板状部材である。
構造物アンカープレート１００ａは、ボルト２００ａの貫通するボルト孔が設けられる。  
特に言及しないかぎり、ボルト孔の直径はボルト２００の直径に比べ所定の隙間を保持できるように大きい。
【００５３】
基礎アンカープレート１００ｂは、基礎５０ｂの上面に置かれるアンカープレートである。
アンカープレートは、フランジプレート５１０と略同寸法の輪郭をもつ板状部材である。
基礎アンカープレート１００ｂは、ボルト２００ｂの貫通できるボルト孔が設けられる。
ボルト２００ｂの貫通できるボルト孔の直径は、後述するボルト２００ｂの大径部６３０の直径より僅かに大きい。
【００５４】
ボルト２００ａは、積層ゴム支承５００を構造物５０ａに固定する機械要素である。
ボルト２００ａは、上部フランジプレート５１０ａに設けられるボルト孔を貫通し、構造物５０ａに固定される。
ボルト２００ａは、上部フランジプレート５１０ａに設けられるボルト孔を貫通し、構造物５０ａに埋め込まれる埋込部材７００にねじ固定される。
【００５５】
ボルト２００ｂは、積層ゴム支承５００を取付対象物である基礎５０ｂに固定する機械要素である。
ボルト２００ｂは、下部フランジプレート５１０ｂに設けられるボルト孔を貫通し、基礎５０ｂに固定される。
ボルト２００ｂは、下部フランジプレート５１０ｂに設けられるボルト孔を貫通し、基礎５０ｂに埋め込まれる埋込部材７００にねじ固定される。
ボルト２００ｂは、長手方向に並ぶ大径部６３０と小径部とを形成する。
大径部６３０は先端に雄ねじを形成されてもよい。
小径部の端部に六角頭がついてもよい。
小径部の端部にナットがねじ込まれてもよい。
ボルト２００ｂの大径部６３０が、ボルト孔を貫通し取付対象物である基礎５０ｂに固定されて、水平拘束手段６００として機能する。
ボルト２００ｂの大径部６３０が、ボルト孔を貫通し取付対象物である基礎５０ｂにねじ固定されて、水平拘束手段６００として機能してもよい。
【００５６】
弾性座金３００の構成は、第一の実施形態にかかる構造物基礎構造のものと同じなので、説明を省略する。
【００５７】
積層ゴム支承５００は、上下一対のフランジプレート５１０ａ、５１０ｂと積層ゴム体５２０とで構成される。
上下一対のフランジプレート５１０ａ、５１０ｂは、上部フランジプレート５１０ａと下部フランジプレート５１０ｂとで構成される。
上下一対のフランジプレート５１０ａ、５１０ｂは、ボルト２００ａ、２００ｂが貫通できるボルト孔を設けられる。
特定フランジプレート５１０ｂに設けられるボルト孔の直径は、ボルト２００ｂの大径部６３０の直径より僅かに大きい。
積層ゴム体５２０は、上下一対のフランジプレートに挟まれる。
積層ゴム体５２０は、積層した複数のゴム体で構成される。
【００５８】
ボルト２００ｂが、ボルト孔を貫通し取付対象物に固定され、水平拘束手段６００として機能する。
ボルト２００ｂの大径部６３０が、ボルト孔を貫通し、ボルト２００ｂが取付対象物に固定され、水平拘束手段６００として機能する。
ボルト２００ｂの大径部６３０が、ボルト孔を貫通し、ボルト２００ｂが取付対象物に埋め込まれる埋込部材７２０にねじ固定され、水平拘束手段６００として機能してもよい。
ボルト２００ｂの大径部６３０が、ボルト孔を貫通し、ボルト２００ｂが基礎５０ｂに埋め込まれる埋込部材７２０にねじ固定され、水平拘束手段６００として機能してもよい。
【００５９】
埋込部材７００は、構造物５０ａと基礎５０ｂに埋め込まれる部材である。
例えば、埋込部材７２０は、内面に雌ねじが形成された円管７２１と円管の雌ねじにねじ込まれる六角ボルト７２２である。
ボルト２００ｂの大径部６３０が、円環７２１に形成された雌ねじにねじ固定される。
埋込部材７１０は、アンカープレート１００ａ、１００ｂに固定されていなくてもよい。
埋込部材７１０は、アンカープレート１００ａ、１００ｂに固定されていてもよい。
埋込部材７１０は、端部をアンカープレート１００ａ、１００ｂに設けられた穴に嵌められてもよい。
【００６０】
フィラープレート８００の構成は、第一の実施形態にかかる構造物基礎構造のものと同じなので、説明を省略する。
【００６１】
以下に、本発明の第三の実施形態に係る構造物基礎構造の作用を、説明する。
地震がないとき、下部フランジプレート５１０ｂが基礎アンカープレート１００ｂに接している。
地震が発生し、構造物基礎構造に引き抜き力が作用すると、下部フランジプレート５１０ｂが基礎アンカープレート１００ｂから離れる。
弾性座金が圧縮され、ボルト２００ｂに引張力が作用する。
ボルト２００ｂの大径部６３０が下部フランジプレート５１０ｂの水平移動を拘束する。
その結果、ボルト２００ｂの小径部に水平方向の力が作用するのを抑制できる。
【００６２】
次に、本発明の第四の実施形態にかかる構造物基礎構造を、図を基に説明する。
図６は、本発明の第四の実施形態に係る構造物基礎構造の部分拡大図である。
【００６３】
第四の実施形態にかかる構造物基礎構造は、構造物アンカープレート１００ａと基礎アンカープレート１００ｂとボルト２００ａ、２００ｂと積層ゴム支承５００と水平拘束手段６００と埋込部材７００とで構成されてもよい。
第四の実施形態にかかる構造物基礎構造は、構造物アンカープレート１００ａと基礎アンカープレート１００ｂとボルト２００ａ、２００ｂと積層ゴム支承５００と水平拘束手段６００と埋込部材７００とフィラープレート８００とで構成されてもよい。
第四の実施形態にかかる構造物基礎構造は、構造物アンカープレート１００ａと基礎アンカープレート１００ｂとボルト２００ａ、２００ｂと弾性座金３００と積層ゴム支承５００と水平拘束手段６００と埋込部材７００とフィラープレート８００とで構成されてもよい。
以下では、説明の便宜上、基礎アンカープレートが特定アンカープレートであって、下部フランジプレートが特定フランジプレートであって、基礎５０ｂが取付対象物である場合を例に説明する。
【００６４】
構造物アンカープレート１００ａは、構造物５０ａの下面に置かれるアンカープレートである。
アンカープレートは、フランジプレート５１０と略同寸法の輪郭をもつ板状部材である。
構造物アンカープレート１００ａは、ボルト２００ａの貫通するボルト孔が設けられる。  
特に言及しないかぎり、ボルト孔の直径はボルト２００の直径に比べ所定の隙間を保持できるように大きい。
【００６５】
基礎アンカープレート１００ｂは、基礎５０ｂの上面に置かれるアンカープレートである。
アンカープレートは、フランジプレート５１０と略同寸法の輪郭をもつ板状部材である。
特定アンカープレートは、後述する円筒状部材６４０の端部に嵌まり合う嵌め合い部を形成する。
基礎アンカープレート１００ｂは、後述する円筒状部材６４０の端部に嵌まり合う嵌め合い部を形成する。
例えば、基礎アンカープレート１００ｂは、後述する円筒状部材６４０の端部に嵌まり合う円形の窪みをもつ嵌め合い部を形成する。
【００６６】
ボルト２００ａは、積層ゴム支承５００を構造物５０ａに固定する機械要素である。
ボルト２００ａは、上部フランジプレート５１０ａに設けられるボルト孔を貫通し、構造物５０ａに固定される。
ボルト２００ａは、上部フランジプレート５１０ａに設けられるボルト孔を貫通し、構造物５０ａに埋め込まれる埋込部材７３０にねじ固定される。
【００６７】
ボルト２００ｂは、積層ゴム支承５００を基礎５０ｂに固定する機械要素である。
ボルト２００ｂは、下部フランジプレート５１０ｂに設けられるボルト孔を貫通し、基礎５０ｂに固定される。
ボルト２００ｂは、下部フランジプレート５１０ｂに設けられるボルト孔を貫通する円筒状部材６４０に設けられた貫通穴を貫通し、基礎５０ｂに埋め込まれる埋込部材７００にねじ固定される。
ボルト２００ｂは、下部フランジプレート５１０ｂに設けられるボルト孔を貫通する円筒状部材６４０に設けられた貫通穴に形成された雌ねじに雄ねじをねじ込んで貫通し、基礎５０ｂに埋め込まれる埋込部材７００にねじ固定されてもよい。
【００６８】
弾性座金３００の構成は、第一の実施形態にかかる構造物基礎構造のものと同じなので、説明を省略する。
【００６９】
積層ゴム支承５００は、上下一対のフランジプレート５１０ａ、５１０ｂと積層ゴム体５２０とで構成される。
上下一対のフランジプレート５１０ａ、５１０ｂは、上部フランジプレート５１０ａと下部フランジプレート５１０ｂとで構成される。
上下一対のフランジプレート５１０ａ、５１０ｂは、ボルト２００ａ、２００ｂが貫通できるボルト孔を設けられる。
特定フランジプレートに設けられるボルト孔の直径は、円筒状部材６４０の直径より僅かに大きい。
下部フランジプレート５１０ｂに設けられるボルト孔の直径は、円筒状部材６４０の直径より僅かに大きい。
積層ゴム体５２０は、上下一対のフランジプレート５１０ａ、５１０ｂに挟まれる。
積層ゴム体５２０は、積層した複数のゴム体で構成される。
【００７０】
水平拘束手段６００は、ボルト２００ｂを挿入可能な貫通穴を中心に持つ円筒状の部材である円筒状部材６４０である。
円筒状部材６４０は、特定フランジプレート５１０ｂに設けられたボルト孔を貫通し、特定アンカープレート１００ｂの嵌め合い部に嵌まり合い、水平拘束手段６００として機能する。
円筒状部材６４０は、下部フランジプレート５１０ｂに設けられたボルト孔を貫通し、基礎アンカープレート１００ｂの嵌め合い部に嵌まり合い、水平拘束手段６００として機能する。
【００７１】
埋込部材７００は、構造物５０ａと基礎５０ｂに埋め込まれる部材である。
埋込部材７３０は、基礎５０ｂに埋め込まれる部材である。
例えば、埋込部材７３０は、内面に雌ねじが形成された円管７３１と円管の雌ねじにねじ込まれる六角ボルト７３２である。
埋込部材７３０は、アンカープレート１００ａ、１００ｂに固定される。
【００７２】
フィラープレート８００の構成は、第一の実施形態にかかる構造物基礎構造のものと同じなので、説明を省略する。
【００７３】
以下に、本発明の第四の実施形態に係る構造物基礎構造の作用を、説明する。
地震がないとき、下部フランジプレート５１０ｂが基礎アンカープレート１００ｂに接している。
地震が発生し、構造物基礎構造に引き抜き力が作用すると、下部フランジプレート５１０ｂが基礎アンカープレート１００ｂから離れる。
弾性座金が圧縮され、ボルト２００ｂに引張力が作用する。
ボルト２００ｂの貫通する円筒状部材６４０が下部フランジプレート５１０ｂの水平移動を拘束する。
その結果、ボルト２００ｂに作用する水平方向の力を小さくすることができる。
【００７４】
次に、本発明の第五の実施形態にかかる構造物基礎構造を、図を基に、説明する。
図７は、本発明の第五の実施形態に係る構造物基礎構造の部分拡大図である。
【００７５】
第五の実施形態にかかる構造物基礎構造は、構造物アンカープレート１００ａと基礎アンカープレート１００ｂとボルト２００ａ、２００ｂと積層ゴム支承５００と水平拘束手段６００と埋込部材７００とで構成されてもよい。
第五の実施形態にかかる構造物基礎構造は、構造物アンカープレート１００ａと基礎アンカープレート１００ｂとボルト２００ａ、２００ｂと積層ゴム支承５００と水平拘束手段６００と埋込部材７００とフィラープレート８００とで構成されてもよい。
第五の実施形態にかかる構造物基礎構造は、構造物アンカープレート１００ａと基礎アンカープレート１００ｂとボルト２００ａ、２００ｂと弾性座金３００と積層ゴム支承５００と水平拘束手段６００と埋込部材７００とフィラープレート８００とで構成されてもよい。
以下では、説明の便宜上、基礎アンカープレートが特定アンカープレートであって、下部フランジプレートが特定フランジプレートであって、基礎５０ｂが取付対象物である場合を例に、説明する。
【００７６】
構造物アンカープレート１００ａは、構造物５０ａの下面に置かれるアンカープレートである。
アンカープレートは、フランジプレート５１０と略同寸法の輪郭をもつ板状部材である。
構造物アンカープレート１００ａは、ボルト２００ａの貫通するボルト孔が設けられる。  
特に言及しないかぎり、ボルト孔の直径はボルト２００の直径に比べ所定の隙間を保持できるように大きい。
【００７７】
基礎アンカープレート１００ｂは、基礎５０ｂの上面に置かれるアンカープレートである。
アンカープレートは、フランジプレート５１０と略同寸法の輪郭をもつ板状部材である。
特定アンカープレートは、後述する円筒状部材６５０の外径より僅かに大きな直径のボルト孔を形成する。
基礎アンカープレート１００ｂは、後述する円筒状部材６５０の外径より僅かに大きな直径のボルト孔を形成する。
【００７８】
ボルト２００ａは、積層ゴム支承５００を構造物５０ａに固定する機械要素である。
ボルト２００ａは、上部フランジプレート５１０ａに設けられるボルト孔を貫通し、構造物５０ａに固定される。
ボルト２００ａは、上部フランジプレート５１０ａに設けられるボルト孔を貫通し、構造物５０ａに埋め込まれる埋込部材７００にねじ固定される。
【００７９】
ボルト２００ｂは、積層ゴム支承５００を基礎５０ｂに固定する機械要素である。
ボルト２００ｂは、下部フランジプレート５１０ｂに設けられるボルト孔を貫通し、基礎５０ｂに固定される。
ボルト２００ｂは、下部フランジプレート５１０ｂに設けられるボルト孔を貫通する円筒状部材６５０に設けられた貫通穴を貫通し、基礎５０ｂに埋め込まれる埋込部材７００にねじ固定される。
ボルト２００ｂは、下部フランジプレート５１０ｂに設けられるボルト孔を貫通する円筒状部材６５０に設けられた貫通穴に形成された雌ねじに雄ねじをねじ込んで貫通し、基礎５０ｂに埋め込まれる埋込部材７００にねじ固定されてもよい。
【００８０】
弾性座金３００の構成は、第一の実施形態にかかる構造物基礎構造のものと同じなので、説明を省略する。
【００８１】
積層ゴム支承５００は、上下一対のフランジプレート５１０ａ、５１０ｂと積層ゴム体５２０とで構成される。
上下一対のフランジプレート５１０ａ、５１０ｂは、上部フランジプレート５１０ａと下部フランジプレート５１０ｂとで構成される。
上下一対のフランジプレート５１０ａ、５１０ｂは、ボルト２００ａ、２００ｂが貫通できるボルト孔を設けられる。
特定フランジプレート５１０ｂに設けられるボルト孔の直径は、円筒状部材６５０の直径より僅かに大きい。
積層ゴム体５２０は、上下一対のフランジプレートに挟まれる。
積層ゴム体５２０は、積層した複数のゴム体で構成される。
【００８２】
円筒状部材６５０が、特定フランジプレートに設けられたボルト孔と特定アンカープレートに設けられたボルト孔とを貫通して、取付対象物に固定され、水平拘束手段６００として機能する。
円筒状部材６５０が、下部フランジプレート５１０ｂに設けられたボルト孔と基礎アンカープレート１００ｂに設けられたボルト孔とを貫通して、基礎５０ｂに固定され、水平拘束手段６００として機能する。
円筒状部材６５０が、下部フランジプレート５１０ｂに設けられたボルト孔と基礎アンカープレート１００ｂに設けられたボルト孔とを貫通して、基礎５０ｂに埋め込まれた埋込部材７４０の嵌め合い部に嵌まり合い、水平拘束手段６００として機能する。
【００８３】
埋込部材７００は、構造物５０ａと基礎５０ｂに埋め込まれる部材である。
埋込部材７４０は、基礎５０ｂに埋め込まれる部材である。
例えば、埋込部材７４０は、内面に雌ねじが形成された円管７４１と円管の雌ねじにねじ込まれる六角ボルト７４２である。
埋込部材７４０は、アンカープレート１００ｂに固定されていなくてもよい。
埋込部材７４０は、アンカープレート１００ｂに固定されていてもよい。
埋込部材７４０は、上部に円筒状部材６５０の嵌まり合う嵌め合い部が形成される。
例えば、埋込部材７４０は、円管７４１の上部に円筒状部材６５０の挿入される凹状の支圧部が形成される。
【００８４】
フィラープレート８００の構成は、第一の実施形態にかかる構造物基礎構造のものと同じなので、説明を省略する。
【００８５】
以下に、本発明の第五の実施形態に係る構造物基礎構造の作用を、説明する。
地震がないとき、下部フランジプレート５１０ｂが基礎アンカープレート１００ｂに接している。
地震が発生し、構造物基礎構造に引き抜き力が作用すると、下部フランジプレート５１０ｂが基礎アンカープレート１００ｂから離れる。
弾性座金が圧縮され、ボルト２００ｂに引張力が作用する。
ボルト２００ｂの貫通する円筒状部材６５０が基礎５０ｂに嵌まり合い、下部フランジプレート５１０ｂの水平移動を拘束する。
その結果、ボルト２００ｂに作用する水平方向の力を小さくすることができる。
【００８６】
次に、本発明の第六の実施形態に係る構造物基礎構造を、図を基に、説明する。
図８は、本発明の第六の実施形態に係る構造物基礎構造の部分拡大図である。
【００８７】
第六の実施形態にかかる構造物基礎構造は、構造物アンカープレート１００ａと基礎アンカープレート１００ｂとボルト２００ａ、２００ｂと埋込部材４００と積層ゴム支承５００と水平拘束手段６００と埋込部材７００とで構成されてもよい。
第六の実施形態にかかる構造物基礎構造は、構造物アンカープレート１００ａと基礎アンカープレート１００ｂとボルト２００ａ、２００ｂと埋込部材４００と積層ゴム支承５００と水平拘束手段６００と埋込部材７００とフィラープレート８００とで構成されてもよい。
第六の実施形態にかかる構造物基礎構造は、構造物アンカープレート１００ａと基礎アンカープレート１００ｂとボルト２００ａ、２００ｂと弾性座金３００と埋込部材４００と積層ゴム支承５００と水平拘束手段６００と埋込部材７００とフィラープレート８００とで構成されてもよい。
以下では、説明の便宜上、基礎アンカープレートが特定アンカープレートであって、下部フランジプレートが特定フランジプレートであって、基礎が取付対象物である場合を例に説明する。
【００８８】
構造物アンカープレート１００ａは、構造物５０ａの下面に置かれるアンカープレートである。
アンカープレートは、フランジプレート５１０と略同寸法の輪郭をもつ板状部材であってもよい。
構造物アンカープレート１００ａは、ボルト２００ａの貫通するボルト孔が設けられる。
特に言及しないかぎり、ボルト孔の直径はボルト２００の直径に比べ所定の隙間を保持できるように大きい。
【００８９】
基礎アンカープレート１００ｂは、基礎５０ｂの上面に置かれるアンカープレートである。
アンカープレートは、フランジプレート５１０と略同寸法の輪郭をもつ板状部材であってもよい。
基礎アンカープレート１００ｂは、ボルト２００ｂの貫通するボルト孔が設けられる。
【００９０】
ボルト２００ａは、積層ゴム支承５００を構造物５０ａに固定する機械要素である。
ボルト２００ａは、上部フランジプレート５１０ａに設けられるボルト孔を貫通し、構造物５０ａに固定される。
ボルト２００ａは、上部フランジプレート５１０ａに設けられるボルト孔を貫通し、構造物５０ａに埋め込まれる埋込部材７００にねじ固定される。
【００９１】
ボルト２００ｂは、積層ゴム支承５００を基礎５０ｂに固定する機械要素である。
ボルト２００ｂは、下部フランジプレート５１０ｂに設けられるボルト孔を貫通し、基礎５０ｂに固定される。
ボルト２００ｂは、下部フランジプレート５１０ｂに設けられるボルト孔を貫通し、基礎５０ｂに埋め込まれる埋込部材７００にねじ固定される。
【００９２】
弾性部材３００の構成は、第一の実施形態にかかる構造物基礎構造のものと同じなので、説明を省略する。
【００９３】
埋込部材４００が、取付対象物に置かれるアンカープレートである特定アンカープレートに連結し取付対象物に埋め込まれる。
本説明では、基礎５０ｂが取付対象物に相当する。
埋込部材４００は、ボルト２００を取付対象物に固定するための部材の他の別の部材である。
埋込部材４００が、基礎５０ｂに置かれる特定アンカープレートである基礎アンカープレート１００ｂに連結し基礎５０ｂに埋め込まれる。
例えば、スタッドジベル４１０が、基礎５０ｂに置かれる特定アンカープレートである基礎アンカープレート１００ｂに連結し基礎５０ｂに埋め込まれる。
例えば、スタッドジベル４１０が、基礎５０ｂに置かれる特定アンカープレートである基礎アンカープレート１００ｂに溶接固定され、基礎５０ｂに埋め込まれる。
【００９４】
積層ゴム支承５００は、上下一対のフランジプレート５１０ａ、５１０ｂと積層ゴム体５２０とで構成される。
上下一対のフランジプレート５１０ａ、５１０ｂは、上部フランジプレート５１０ａと下部フランジプレート５１０ｂとで構成される。
上下一対のフランジプレート５１０ａ、５１０ｂは、ボルト２００ａ、２００ｂが貫通できるボルト孔を設けられる。
積層ゴム体５２０は、上下一対のフランジプレートに挟まれる。
積層ゴム体５２０は、積層した複数のゴム体で構成される。
【００９５】
水平拘束手段６００は、特定フランジプレートの取付対象物に対する垂直方向の相対移動を許容し水平方向の相対移動を拘束する手段である。
水平拘束手段６００は、特定アンカープレートに設けられて、特定フランジプレート５１０ｂに嵌まり合い特定フランジプレート５１０ｂの水平方向の相対移動を拘束する凹凸部である。
例えば、特定アンカープレートに設けられて、特定フランジプレート５１０ｂの周囲を囲うの凸状の肩部６１０である。
特定アンカープレートに設けられる凸状の肩部６１０が、特定フランジプレート５１０ｂに嵌まり合い特定フランジプレート５１０ｂの水平方向の相対移動を拘束する。
【００９６】
埋込部材７００は、構造物５０ａと基礎５０ｂに埋め込まれる部材である。
例えば、埋込部材７１０は、内面に雌ねじが形成された円管７１１と円管の雌ねじにねじ込まれる六角ボルト７１２である。
埋込部材７１０は、アンカープレート１００ａ、１００ｂに固定されていなくてもよい。
埋込部材７１０は、アンカープレート１００ａ、１００ｂに固定されていてもよい。
埋込部材７１０は、端部をアンカープレート１００ａ、１００ｂに設けられた穴に嵌められてもよい。
【００９７】
フィラープレート８００の構成は、第一の実施形態にかかる構造物基礎構造のものと同じなので、説明を省略する。
【００９８】
以下に、本発明の第六の実施形態に係る構造物基礎構造の作用を、説明する。
地震がないとき、下部フランジプレート５１０ｂが基礎アンカープレート１００ｂに接している。
地震が発生し、構造物基礎構造に引き抜き力が作用すると、下部フランジプレート５１０ｂが基礎アンカープレート１００ｂから離れる。
弾性座金が圧縮され、ボルト２００ｂに引張力が作用する。
基礎アンカープレート１００ｂに形成された凸状の肩部が、下部フランジプレート５１０ｂの水平移動を拘束する。
基礎アンカープレート１００ｂに形成されたシアープレート状の肩部が、下部フランジプレート５１０ｂの水平移動を拘束してもよい。
その結果、ボルト２００ｂに作用する水平方向の力を抑制できる。
【００９９】
以上説明したように、本発明の実施形態に係る構造物基礎構造は、その構成により、以下の効果を有する。
積層ゴム支承５００のフランジプレート５１０とアンカープレート１００との垂直方向の相対移動を許容し水平方向の相対移動を拘束し、ボルト２００がフランジプレート５１０のボルト孔を貫通しアンカープレート１００に固定される様にしたので、フランジプレート５１０に作用する水平方向の力を基礎５０ｂまたは構造物５０ａが直接に支持し、基礎５０ｂまたは構造物５０ａに固定されるボルト２００に水平方向の力が作用するのを抑制できる。
また、棒状部材６２０がフランジプレート５１０に設けられるボルト孔と別の異なる穴に嵌まり取付対象物に固定される様にしたので、特定フランジプレートに作用する水平方向の力を棒状部材６２０で受けて取付対象物が直接に支持し、取付対象物に固定されるボルト２００に水平方向の力が作用するのを抑制できる。
また、棒状部材６２０が特定フランジプレート５１０に設けられるボルト孔と別の異なる貫通穴を貫通し取付対象物に固定される様にしたので、特定フランジプレート５１０に作用する水平方向の力を棒状部材６２０で受けて取付対象物が直接に支持し、取付対象物に固定されるボルト２００に水平方向の力が作用するのを抑制できる。
また、ボルト２００の大径部６３０が直径の僅かに大きなボルト孔を貫通し取付対象物に固定される様にしたので、特定フランジプレート５１０に作用する水平方向の力をボルト２００の大径部６３０で受けて取付対象物が直接に支持し、取付対象物に固定されるボルト２００の小径部に水平方向の力が作用するのを抑制できる。
また、ボルト２００が円筒状部材６４０の貫通穴とボルト孔を貫通し取付対象物に固定され、円筒状部材６４０がボルト孔を貫通し端部をアンカープレート１００の嵌め合い部に嵌まり合う様にしたので、特定フランジプレート５１０に作用する水平方向の力を円筒状部材６４０で受けてアンカープレート１００が直接に支持し、取付対象物に固定されるボルト２００に作用する水平方向の力を小さくすることができる。
また、ボルト２００が円筒状部材６５０の貫通穴とボルト孔を貫通し取付対象物に固定され、円筒状部材６５０がボルト孔を貫通し端部を取付対象物に埋め込まれた埋込部材７４０の嵌め合い部に嵌まり合う様にしたので、特定フランジプレート５１０に作用する水平方向の力を円筒状部材６５０で受けて取付対象物が直接に支持し、取付対象物に固定されるボルト２００に作用する水平方向の力を小さくすることができる。
また、特定アンカープレート１００に設けられた肩部６１０が特定フランジプレート５１０に嵌まり合い特定フランジプレート５１０の水平方向の相対移動を拘束する様にしたので、特定フランジプレート５１０に作用する水平方向の力を肩部６１０で受けてアンカープレート１００が直接に支持し、取付対象物に固定されるボルト２００に水平方向の力が作用するのを抑制できる。
【０１００】
本発明は以上に述べた実施形態に限られるものではなく、発明の要旨を逸脱しない範囲で各種の変更が可能である。
ボルトは、六角ボルトであるとして説明したが、これに限定されない。例えば、ボルトが頭のないものであって、ナットがねじ込まれたものでもよい。
弾性部材の材料は、ゴムとして説明したが、これに限定されない。弾性特性をもつ樹脂でもよい。
【符号の説明】
【０１０１】
５０ａ  構造物
５０ｂ  基礎
１００    アンカープレート
１００ａ  構造物アンカープレート
１００ｂ  基礎アンカープレート
２００    ボルト
２００ａ  ボルト
２００ｂ  ボルト
３００    弾性座金
４００    埋込部材
４１０    スタッドジベル
４２０    埋込部材
４２１    円管
４２２    六角ボルト
５００    積層ゴム支承
５１０    フランジプレート
５１０ａ  上部フランジプレート
５１０ｂ  下部フランジプレート
５２０    積層ゴム体
６００    水平拘束手段
６１０    肩部
６２０    棒状部材
６３０    大径部
６４０    円筒状部材
６５０    円筒状部材
７００    埋込部材
７１０    埋込部材
７１１    円管
７１２    六角ボルト
７２０    埋込部材
７２１    円管
７２２    六角ボルト
７３０    埋込部材
７３１    円管
７３２    六角ボルト
７４０    埋込部材
７４１    円管
７４２    六角ボルト
８００    フィラープレート
【図１】
2015148084.tif 000003
【図２】
2015148084.tif 000004
【図３】
2015148084.tif 000005
【図４】
2015148084.tif 000006
【図５】
2015148084.tif 000007
【図６】
2015148084.tif 000008
【図７】
2015148084.tif 000009
【図８】
2015148084.tif 000010